(57)【要約】【課題】端末装置と基地局装置が物理上りリンク制御チャネルを用いて効率的に通信すること。【解決手段】端末装置は、プライマリーセルに対するサブフレームｍ−ｊにおけるＰＤＳＣＨ送信の検出に基づいてプライマリーセルのＰＵＣＣＨを用いてサブフレームｍにおいてＨＡＲＱ−ＡＣＫを送信し、非スペシャルセカンダリーセルに対するサブフレームｉ−ｐにおけるＰＤＳＣＨ送信の検出に基づいてスペシャルセカンダリーセルのＰＵＣＣＨを用いてサブフレームｉにおいてＨＡＲＱ−ＡＣＫを送信し、ｊは第１のＵＬ／ＤＬ設定を参照することによって与えられ、端末装置が３つのサービングセルにおける同時送受信の能力を持たず、第２のＵＬ／ＤＬ設定および第３のＵＬ／ＤＬ設定が異なる場合、ｐは第１のＵＬ／ＤＬ設定、第２のＵＬ／ＤＬ設定、および、第３のＵＬ／ＤＬ設定を参照することによって与えられる。【選択図】図９
2018050092.tif 000002
【特許請求の範囲】
【請求項１】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信する受信部と、
前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、
前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信する送信部と、を備え、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
端末装置。
【請求項２】
前記端末装置が前記３つのサービングセルにおいて同時に送信および受信を行う能力を持たず、前記第１の情報によって示される第１の上りリンク／下りリンク設定、前記第２の情報によって示される第２の上りリンク／下りリンク設定、および、前記第３の情報によって示される第３の上りリンク／下りリンク設定の全てが同じ場合、前記ｐは前記第３の情報によって示される第３の上りリンク／下りリンク設定を参照することによって与えられる
請求項１の端末装置。
【請求項３】
前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が異なる場合、前記ｐは前記第２の情報によって示される第２の上りリンク／下りリンク設定、および、前記第３の情報によって示される第３の上りリンク／下りリンク設定を参照することによって与えられる
請求項１の端末装置。
【請求項４】
前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が同じ場合、前記ｐは前記第３の情報によって示される第３の上りリンク／下りリンク設定を参照することによって与えられる
請求項１の端末装置。
【請求項５】
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じ場合、前記ｐは前記第１の情報によって示される第１の上りリンク／下りリンク設定、および、前記第３の情報によって示される第３の上りリンク／下りリンク設定を参照することによって与えられる
請求項１の端末装置。
【請求項６】
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じであり、且つ、前記第１の情報によって示される第１の上りリンク／下りリンク設定、および、前記第３の情報によって示される第３の上りリンク／下りリンク設定が異なる場合、前記ｐは前記第１の情報によって示される第１の上りリンク／下りリンク設定、および、前記第３の情報によって示される第３の上りリンク／下りリンク設定を参照することによって与えられる
請求項１の端末装置。
【請求項７】
前記端末装置が前記３つのサービングセルにおいて同時に送信および受信を行う能力を持つかどうかは、前記プライマリーセルが属する第１のバンド、前記スペシャルセカンダリーセルが属する第２のバンド、および、前記非スペシャルセカンダリーセルが属する第３のバンドの組み合わせに基づく
請求項１の端末装置。
【請求項８】
前記端末装置が前記３つのサービングセルにおいて同時に送信および受信を行う能力を持つかどうかは、前記３つのサービングセルのうちの２つのサービングセルが属する第４のバンド、および、前記３つのサービングセルのうちの残りの１つのサービングセルが属する第５のバンドの組み合わせに基づく
請求項１の端末装置。
【請求項９】
前記第１のグループは、前記１つのプライマリーセルのみを含み、
前記第２のグループは、前記１つのスペシャルセカンダリーセル、および、前記１つの非スペシャルセカンダリーセルのみを含む
請求項１の端末装置。
【請求項１０】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置に実装される集積回路であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信する機能と、
前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信する機能と、
前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信する機能と、を含む一連の機能を前記端末装置に発揮させ、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
集積回路。
【請求項１１】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置に用いられる通信方法であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信し、
前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、
前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信し、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
通信方法。
【請求項１２】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信する送信部と、
前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、
前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信する受信部と、を備え、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
基地局装置。
【請求項１３】
前記受信部は、前記端末装置が前記３つのサービングセルにおいて同時に送信および受信を行う能力を持つか否かを示す情報を、前記端末装置から受信する
請求項１２の基地局装置。
【請求項１４】
前記端末装置が前記３つのサービングセルにおいて同時に送信および受信を行う能力を持たず、前記第１の情報によって示される第１の上りリンク／下りリンク設定、前記第２の情報によって示される第２の上りリンク／下りリンク設定、および、前記第３の情報によって示される第３の上りリンク／下りリンク設定の全てが同じ場合、前記ｐは前記第３の情報によって示される第３の上りリンク／下りリンク設定を参照することによって与えられる
請求項１２の基地局装置。
【請求項１５】
前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が異なる場合、前記ｐは前記第２の情報によって示される第２の上りリンク／下りリンク設定、および、前記第３の情報によって示される第３の上りリンク／下りリンク設定を参照することによって与えられる
請求項１２の基地局装置。
【請求項１６】
前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が同じ場合、前記ｐは前記第３の情報によって示される第３の上りリンク／下りリンク設定を参照することによって与えられる
請求項１２の基地局装置。
【請求項１７】
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じ場合、前記ｐは前記第１の情報によって示される第１の上りリンク／下りリンク設定、および、前記第３の情報によって示される第３の上りリンク／下りリンク設定を参照することによって与えられる
請求項１２の基地局装置。
【請求項１８】
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じであり、且つ、前記第１の情報によって示される第１の上りリンク／下りリンク設定、および、前記第３の情報によって示される第３の上りリンク／下りリンク設定が異なる場合、前記ｐは前記第１の情報によって示される第１の上りリンク／下りリンク設定、および、前記第３の情報によって示される第３の上りリンク／下りリンク設定を参照することによって与えられる
請求項１２の基地局装置。
【請求項１９】
前記端末装置が前記３つのサービングセルにおいて同時に送信および受信を行う能力を持つかどうかは、前記プライマリーセルが属する第１のバンド、前記スペシャルセカンダリーセルが属する第２のバンド、および、前記非スペシャルセカンダリーセルが属する第３のバンドの組み合わせに基づく
請求項１２の基地局装置。
【請求項２０】
前記端末装置が前記３つのサービングセルにおいて同時に送信および受信を行う能力を持つかどうかは、前記３つのサービングセルのうちの２つのサービングセルが属する第４のバンド、および、前記３つのサービングセルのうちの残りの１つのサービングセルが属する第５のバンドの組み合わせに基づく
請求項１２の基地局装置。
【請求項２１】
前記第１のグループは、前記１つのプライマリーセルのみを含み、
前記第２のグループは、前記１つのスペシャルセカンダリーセル、および、前記１つの非スペシャルセカンダリーセルのみを含む
請求項１２の基地局装置。
【請求項２２】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置に実装される集積回路であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信する機能と、
前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信する機能と、
前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信する機能と、を含む一連の機能を前記基地局装置に発揮させ、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
集積回路。
【請求項２３】
第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置に用いられる通信方法であって、
前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信し、
前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、
前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信し、
前記ｊは前記第１の情報によって示される第１の上りリンク／下りリンク設定を参照することによって与えられ、
前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる
通信方法。
【発明の詳細な説明】
【技術分野】
【０００１】
本発明は、端末装置、基地局装置、集積回路、および、通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰによって、端末装置が５つまでのサービングセル（コンポーネントキャリア）において同時に送信、および／または、受信を行うことができるキャリアアグリゲーションが仕様化されている。
【０００５】
３ＧＰＰにおいて、端末装置が５つを超えたサービングセル（コンポーネントキャリア）において同時に送信、および／または、受信を行うことが検討されている（非特許文献１）。また、端末装置が、プライマリーセル以外のサービングセルであるセカンダリーセルにおいて、物理上りリンク制御チャネルを送信することが検討されている（非特許文献１）。
【先行技術文献】
【非特許文献】
【０００６】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、端末装置が、プライマリーセル以外のサービングセルにおける物理上りリンク制御チャネルの送信処理について具体的な方法は十分に検討されていない。
【０００８】
本発明は上記の点に鑑みてなされたものであり、その目的は、プライマリーセル以外のサービングセルにおける物理上りリンク制御チャネルの送信処理を効率的に実行することができる端末装置、該端末装置に実装される集積回路、該端末装置に用いられる通信方法、プライマリーセル以外のサービングセルにおける物理上りリンク制御チャネルの受信処理を効率的に実行することができる基地局装置、該基地局装置に実装される集積回路、および、該基地局装置に用いられる通信方法を提供することを目的とする。
【課題を解決するための手段】
【０００９】
（１）上記の目的を達成するために、本発明の態様は、以下のような手段を講じた。すなわち、本発明の第１の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信する受信部と、前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信する送信部と、を備え、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【００１０】
（２）本発明の第２の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置に実装される集積回路であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信する機能と、前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信する機能と、前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信する機能と、を含む一連の機能を前記端末装置に発揮させ、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【００１１】
（３）本発明の第３の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、基地局装置と通信する端末装置に用いられる通信方法であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信し、前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信し、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【００１２】
（４）本発明の第４の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信する送信部と、前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信する受信部と、を備え、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【００１３】
（５）本発明の第５の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置に実装される集積回路であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信する機能と、前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信する機能と、前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信する機能と、を含む一連の機能を前記基地局装置に発揮させ、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【００１４】
（６）本発明の第６の態様は、第１のグループに含まれる１つのプライマリーセル、上りリンクコンポーネントキャリアを持ち、物理上りリンク制御チャネルのリソースが設定され、且つ、第２のグループに含まれるセカンダリーセルである１つのスペシャルセカンダリーセル、および、前記第２のグループに含まれるセカンダリーセルである１つの非スペシャルセカンダリーセルを含む３つのサービングセルを用いて、端末装置と通信する基地局装置に用いられる通信方法であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信し、前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信し、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられる。
【発明の効果】
【００１５】
この発明によれば、端末装置が、プライマリーセル以外のサービングセルにおける物理上りリンク制御チャネルの送信処理を効率的に実行することができる。また、基地局装置が、プライマリーセル以外のサービングセルにおける物理上りリンク制御チャネルの受信処理を効率的に実行することができる。
【図面の簡単な説明】
【００１６】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態におけるＵＬ／ＤＬ設定の一例を示す表である。
【図８】本実施形態における下りリンク連関セットＫの一例を示す図である。
【図９】本実施形態におけるＤＬ参照ＵＬ／ＤＬ設定の決定方法の一例を示す図である。
【図１０】本実施形態におけるＵＬ／ＤＬ設定とＤＬ参照ＵＬ／ＤＬ設定の対応を示す第１の図である。
【図１１】本実施形態におけるＵＬ／ＤＬ設定とＤＬ参照ＵＬ／ＤＬ設定の対応を示す第２の図である。
【図１２】本実施形態の端末装置１の構成を示す概略ブロック図である。
【図１３】本実施形態の基地局装置３の構成を示す概略ブロック図である。
【発明を実施するための形態】
【００１７】
以下、本発明の実施形態について説明する。
【００１８】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１９】
以下、キャリアアグリゲーションについて説明する。
【００２０】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００２１】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００２２】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。
【００２３】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２４】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２５】
本実施形態において、ＰＵＣＣＨ（Physical Uplink Control Channel）の送信のために用いられるセカンダリーセルを、スペシャルセカンダリーセル、および、ＰＵＣＣＨセカンダリーセルと称する。本実施形態において、ＰＵＣＣＨの送信のために用いられないセカンダリーセルを、非スペシャルセカンダリーセル、非ＰＵＣＣＨセカンダリーセル、非ＰＵＣＣＨサービングセル、および、非ＰＵＣＣＨセルと称する。プライマリーセルおよびスペシャルセカンダリーセルを総称して、ＰＵＣＣＨサービングセル、および、ＰＵＣＣＨセルと称する。
【００２６】
ＰＵＣＣＨサービングセル（プライマリーセル、ＰＵＣＣＨセカンダリーセル）は、下りリンクコンポーネントキャリア、および、上りリンクコンポーネントキャリアを持つ。ＰＵＣＣＨサービングセル（プライマリーセル、ＰＵＣＣＨセカンダリーセル）において、ＰＵＣＣＨのリソースが設定される。
【００２７】
非ＰＵＣＣＨサービングセル（非ＰＵＣＣＨセカンダリーセル）は、下りリンクコンポーネントキャリアのみを持ってもよい。非ＰＵＣＣＨサービングセル（非ＰＵＣＣＨセカンダリーセル）は、下りリンクコンポーネントキャリア、および、上りリンクコンポーネントキャリアを持ってもよい。
【００２８】
端末装置１は、ＰＵＣＣＨサービングセルにおいてＰＵＣＣＨでの送信を行う。端末装置１は、プライマリーセルにおいてＰＵＣＣＨでの送信を行う。端末装置１は、スペシャルセカンダリーセルにおいてＰＵＣＣＨでの送信を行う。端末装置１は、非スペシャルセカンダリーセルにおいてＰＵＣＣＨでの送信を行わない。
【００２９】
尚、スペシャルセカンダリーセルを、プライマリーセルおよびセカンダリーセルでないサービングセルとして定義してもよい。
【００３０】
本実施形態の物理チャネルおよび物理信号について説明する。
【００３１】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３２】
ＰＵＣＣＨは、上りリンク制御情報（Uplink Control Information: UCI）を送信するために用いられる。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hyblid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。
【００３３】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３４】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００３５】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３６】
本実施形態において、以下の２つのタイプの上りリンク参照信号が用いられる。
・ＤＭＲＳ（Demodulation Reference Signal）
・ＳＲＳ（Sounding Reference Signal）
【００３７】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３８】
ＳＲＳは、ＰＵＳＣＨまたはＰＵＣＣＨの送信に関連しない。基地局装置３は、上りリンクのチャネル状態を測定するためにＳＲＳを使用する。
【００３９】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４０】
ＰＢＣＨは、端末装置１で共通に用いられるマスターインフォメーションブロック（Master Information Block: MIB, Broadcast Channel: BCH）を報知するために用いられる。
【００４１】
ＰＣＦＩＣＨは、ＰＤＣＣＨの送信に用いられる領域（ＯＦＤＭシンボル）を指示する情報を送信するために用いられる。
【００４２】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４３】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、ＤＣＩフォーマット３、ＤＣＩフォーマット３Ａ、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４４】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４５】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００４６】
下りリンクグラント、または、上りリンクグラントに付加されるＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。
【００４７】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４８】
ＰＤＳＣＨは、下りリンクデータ（Downlink Shared Channel: DL-SCH）を送信するために用いられる。
【００４９】
ＰＭＣＨは、マルチキャストデータ（Multicast Channel: MCH）を送信するために用いられる。
【００５０】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５１】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５２】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５３】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５４】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５５】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５６】
本実施形態において、複数のサービングセルのグループをＰＵＣＣＨセルグループと称する。あるサービングセルは、何れか１つのＰＵＣＣＨセルグループに属する。
【００５７】
１つのＰＵＣＣＨセルグループは、１つのＰＵＣＣＨサービングセルを含む。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００５８】
プライマリーセルを含むＰＵＣＣＨセルグループを、プライマリーＰＵＣＣＨセルグループと称する。プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含む。
【００５９】
ＰＵＣＣＨセルグループを識別するためのインデックス（セルグループインデックス）が定義されてもよい。プライマリーＰＵＣＣＨセルグループに対するインデックスは常に０である。セカンダリーＰＵＣＣＨセルグループに対するインデックスはネットワーク装置（基地局装置３）によって設定されてもよい。
【００６０】
ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）を送信するために用いられる。
【００６１】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）は、該ＰＵＣＣＨセルグループに含まれるＰＵＣＣＨサービングセルにおけるＰＵＣＣＨを用いて送信される。
【００６２】
本実施形態は、ＨＡＲＱ−ＡＣＫのみに対して適用されてもよい。本実施形態は、ＣＳＩのみに対して適用されてもよい。本実施形態は、ＨＡＲＱ−ＡＣＫおよびＣＳＩに対して適用されてもよい。ＨＡＲＱ−ＡＣＫに対するＰＵＣＣＨセルグループと、ＣＳＩに対するＰＵＣＣＨセルグループは個別に定義されてもよい。ＨＡＲＱ−ＡＣＫに対するＰＵＣＣＨセルグループと、ＣＳＩに対するＰＵＣＣＨセルグループは共通であってもよい。
【００６３】
以下、本実施形態の無線フレーム（radio frame）の構成について説明する。
【００６４】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６５】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００６６】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６７】
単一の無線フレームは、少なくとも下りリンクサブフレーム、上りリンクサブフレーム、およびスペシャルサブフレームから構成される。
【００６８】
以下、本実施形態のスロットの構成について説明する。
【００６９】
図３は、本実施形態のスロットの構成を示す図である。本実施形態では、ＯＦＤＭシンボルに対してノーマルＣＰ（normal Cyclic Prefix）が適用される。尚、ＯＦＤＭシンボルに対して拡張ＣＰ（extended Cyclic Prefix）が適用されてもよい。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７０】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７１】
以下、サブフレームのそれぞれにおいて送信される物理チャネルおよび物理信号について説明する。
【００７２】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００７３】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００７４】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００７５】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７６】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７７】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００７８】
以下、ＵＬ／ＤＬ設定（transmission direction uplink/downlink configuration）について説明する。
【００７９】
ＵＬ／ＤＬ設定は、無線フレーム内におけるサブフレームのパターンに関する設定である。ＵＬ／ＤＬ設定は、無線フレーム内におけるサブフレームのそれぞれが、下りリンクサブフレーム、上りリンクサブフレーム、および、スペシャルサブフレームの何れであるかを示す。つまり、ＵＬ／ＤＬ設定は、無線フレーム内における下りリンクサブフレーム、上りリンクサブフレーム、および、スペシャルサブフレームのパターンによって定義される。
【００８０】
下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【００８１】
図７は、本実施形態におけるＵＬ／ＤＬ設定の一例を示す表である。図７において、Ｄは下りリンクサブフレームを示し、Ｕは上りリンクサブフレームを示し、Ｓはスペシャルサブフレームを示す。ＵＬ／ＤＬ設定としてｉがセットされることを、ＵＬ／ＤＬ設定ｉがセットされると称する。
【００８２】
以下、ＵＬ／ＤＬ設定のセッティング方法ついて説明する。
【００８３】
基地局装置３は、サービングセルのそれぞれに対してＵＬ／ＤＬ設定をセットする。すなわち、複数のサービングセルのそれぞれに対して、ＵＬ／ＤＬ設定が定義される。基地局装置３は、サービングセルに対するＵＬ／ＤＬ設定を示す第Ｘの情報を、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、サービングセルに対するＵＬ／ＤＬ設定を示す第Ｘの情報を、ＭＩＢ、システムインフォメーションブロックタイプ１メッセージ、システムインフォメーションメッセージ、ＲＲＣメッセージ、ＭＡＣ  ＣＥ、および、物理層の制御情報（例えば、ＤＣＩフォーマット）の何れかに含めてもよい。
【００８４】
基地局装置３は、複数のサービングセルのそれぞれに対する第Ｘの情報を、複数のサービングセルが設定された端末装置１に送信する。尚、サービングセルのそれぞれに対して、第Ｘの情報が個別に定義されてもよい。
【００８５】
プライマリーセルに対する第Ｘの情報を、第１の情報とも称する。スペシャルセカンダリーセルに対する第Ｘの情報を、第２の情報とも称する。非スペシャルセカンダリーセルに対する第Ｘの情報を、第３の情報とも称する。第Ｘの情報は、サービングセルインデックスＸを持つサービングセルに対応してもよい。
【００８６】
複数のサービングセルが設定された端末装置１は、サービングセルのそれぞれに対して、ＵＬ／ＤＬ設定を示す情報に基づいて、ＵＬ／ＤＬ設定をセットしてもよい。
【００８７】
以下、上りリンクにおけるＨＡＲＱ−ＡＣＫ送信のタイミングについて説明する。
【００８８】
端末装置１は、あるサービングセルにおけるサブフレームｎ−ｋにおけるＰＤＳＣＨ送信の検出に基づいて、上りリンクサブフレームｎにおいてＨＡＲＱ−ＡＣＫを送信する。ここで、該ＰＤＳＣＨは、端末装置１を対象としている（intended for the terminal device 1）。また、ここで、該ＰＤＳＣＨは、ＨＡＲＱ−ＡＣＫが提供されなくてはいけないＰＤＳＣＨ（PDSCH for which HARQ-ACK shall be provided）である。また、ここで、該ｋは、下りリンク連関セット（downlink association set）Ｋに含まれる。
【００８９】
図８は、本実施形態における下りリンク連関セットＫの一例を示す図である。図８において、プレースホルダＵＬ／ＤＬ設定が１であり、サブフレームｎのサブフレーム番号が２の場合、下りリンク連関セットＫには、｛ｋ０＝７、ｋ１＝６｝が含まれる。すなわち、図８において、プレースホルダＵＬ／ＤＬ設定が１であり、サブフレームｎのサブフレーム番号が２の場合、端末装置１は、サブフレームｎ−７におけるＰＤＳＣＨ送信、および／または、サブフレームｎ−６におけるＰＤＳＣＨ送信の検出に基づいて、上りリンクサブフレームｎにおいてＨＡＲＱ−ＡＣＫを送信する。
【００９０】
図８におけるプレースホルダＵＬ／ＤＬ設定は、第Ｘの情報が示すＵＬ／ＤＬ設定、または、ＤＬ参照ＵＬ／ＤＬ設定（downlink reference uplink-downlink configuration）を参照（refer）する。すなわち、第Ｘの情報が示すＵＬ／ＤＬ設定、および、ＤＬ参照ＵＬ／ＤＬ設定は、ＰＤＳＣＨが配置されるサブフレームｎ−ｋと前記ＰＤＳＣＨの検出に対応するＨＡＲＱ−ＡＣＫが送信されるサブフレームｎとの対応を特定（選択、決定）するために用いられる。上りリンクにおけるＨＡＲＱ−ＡＣＫ送信のタイミングのためのＤＬ参照ＵＬ／ＤＬ設定はサービングセル毎に定義される。
【００９１】
プレースホルダＵＬ／ＤＬ設定が、第Ｘの情報が示すＵＬ／ＤＬ設定、および、ＤＬ参照ＵＬ／ＤＬ設定のどちらを参照するかは、以下の条件（１）から条件（１２）の一部、または、全部に基づいて特定（選択、決定）されてもよい。プレースホルダＵＬ／ＤＬ設定が、第Ｘの情報が示すＵＬ／ＤＬ設定、および、ＤＬ参照ＵＬ／ＤＬ設定のどちらを参照するかは、ＰＵＣＣＨセルグループ毎に特定（選択、決定）されてもよい。
【００９２】
・条件（１）：全てのサービングセルに対するＵＬ／ＤＬ設定が同じか否か
・条件（２）：サービングセルに対するＵＬ／ＤＬ設定のうち少なくとも２つのＵＬ／ＤＬ設定が異なるか否か
・条件（３）：プライマリーセルに対するＵＬ／ＤＬ設定およびセカンダリーセル（ＰＵＣＣＨセカンダリーセル、および／または、非ＰＵＣＣＨセカンダリーセル）に対するＵＬ／ＤＬ設定が同じか否か
・条件（４）：プライマリーＰＵＣＣＨセルグループに含まれるプライマリーセルに対するＵＬ／ＤＬ設定およびセカンダリーＰＵＣＣＨセルグループに含まれるＰＵＣＣＨセカンダリーセルに対するＵＬ／ＤＬ設定が同じか否か
・条件（５）：１つのＰＵＣＣＨセルグループに含まれる全てのサービングセルに対するＵＬ／ＤＬ設定が同じか否か
・条件（６）：１つのＰＵＣＣＨセルグループに含まれるサービングセルに対するＵＬ／ＤＬ設定のうち少なくとも２つのＵＬ／ＤＬ設定が異なるか否か
・条件（７）：１つのＰＵＣＣＨセルグループに含まれるＰＵＣＣＨサービングセルに対するＵＬ／ＤＬ設定および該１つのＰＵＣＣＨセルグループに含まれる非ＰＵＣＣＨサービングセルに対するＵＬ／ＤＬ設定が同じか否か
・条件（８）：何れかのサービングセルに対してｅＩＭＴＡ（enhanced Interference Mitigation and Trafic Addaptation）が設定されているか否か
・条件（９）：端末装置１が、バンド間ＴＤＤキャリアアグリゲーション（inter-band TDD carrier aggregation）に対して同時送受信（simultaneous reception and transmission）をサポートするか否か
・条件（１０）：サービングセルがプライマリーセルであるかセカンダリーセルであるか
・条件（１１）：サービングセルがＰＵＣＣＨサービングセルであるか非ＰＵＣＣＨサービングセルであるか
・条件（１２）：サービングセルがプライマリーＰＵＣＣＨセルグループに含まれるかセカンダリーＰＵＣＣＨセルグループに含まれるか
【００９３】
バンド間ＴＤＤキャリアアグリゲーションは、異なるバンドに属し、ＴＤＤが適用される複数のサービングセルが集約されるキャリアアグリゲーションである。端末装置１が、バンド間ＴＤＤキャリアアグリゲーションに対して同時送受信をサポートするか否かは、集約されるサービングセルが属するバンドの組み合わせに依存する。
【００９４】
すなわち、端末装置１は、第１のバンドの組み合わせに対して、バンド間ＴＤＤキャリアアグリゲーションに対して同時送受信をサポートせず、第２のバンドの組み合わせに対して、バンド間ＴＤＤキャリアアグリゲーションに対して同時送受信をサポートしてもよい。すなわち、端末装置１が条件（１２）を満たすか否かは、集約される複数のサービングセルが属するバンドの組み合わせに依存する。すなわち、上りリンクにおけるＨＡＲＱ−ＡＣＫ送信のタイミングは、集約される複数のサービングセルが属するバンドの組み合わせに基づいてもよい。
【００９５】
端末装置１がバンド間ＴＤＤキャリアアグリゲーションに対して同時送受信をサポートすることは、端末装置１が集約された複数のサービングセルにおける同時送受信の能力があることを意味する。端末装置１がバンド間ＴＤＤキャリアアグリゲーションに対して同時送受信をサポートしないことは、端末装置１が集約された複数のサービングセルにおける同時送受信の能力がないことを意味する。
【００９６】
端末装置１は、端末装置１がバンド間ＴＤＤキャリアアグリゲーションに対して同時送受信をサポートするか否かを示す能力情報を、基地局装置３に送信してもよい。該能力情報は、バンドの組み合わせのそれぞれに対して定義されてもよい。
【００９７】
能力情報は、端末装置１が複数のＰＵＣＣＨの同時送信をサポートするか否かを示してもよい。端末装置１が複数のＰＵＣＣＨの同時送信をサポートする場合には、端末装置１は、複数のＰＵＣＣＨサービングセルにおける複数のＰＵＣＣＨの同時送信を行うことができる。
【００９８】
現在の無線フレームにおいて異なるＵＬ／ＤＬ設定を伴う複数のサービングセルが集約され、端末装置１が集約された複数のサービングセルにおける同時送受信の能力がない場合には、以下の制約（constraint）が適用される。
【００９９】
・制約（１）：プライマリーセルにおけるサブフレームが下りリンクサブフレームである場合、端末装置１は同じサブフレームにおけるセカンダリーセルにおいて何れの信号またはチャネルを送信してはいけない
・制約（２）：プライマリーセルにおけるサブフレームが上りリンクサブフレームである場合、端末装置１は同じサブフレームにおけるセカンダリーセルにおいて何れの下りリンク送信も受信することを期待されない（not expected）
・制約（３）：プライマリーセルにおけるサブフレームがスペシャルサブフレームであり、セカンダリーセルにおける同じサブフレームが下りリンクサブフレームである場合、端末装置１は同じサブフレームにおけるセカンダリーセルにおいてＰＤＳＣＨ／ＥＰＤＣＣＨ／ＰＭＣＨ／ＰＲＳの送信を受信することを期待されない、且つ、端末装置１はプライマリーセルにおけるＧＰ／ＵｐＰＴＳと重複（overlap）するＯＦＤＭシンボルにおけるセカンダリーセルにおいて何れの信号も受信することを期待されない
【０１００】
すなわち、現在の無線フレームにおいて異なるＵＬ／ＤＬ設定を伴う複数のサービングセルが集約され、端末装置１が集約された複数のサービングセルにおける同時送受信の能力がない場合には、プライマリーセルにおけるサブフレームが下りリンクサブフレームである場合、端末装置１は同じサブフレームにおけるＰＵＣＣＨセカンダリーセルにおいてＰＵＣＣＨを用いて上りリンク制御情報を送信してはいけない。
【０１０１】
現在の無線フレームにおいて異なるＵＬ／ＤＬ設定を伴う複数のサービングセルが集約され、端末装置１が集約された複数のサービングセルにおける同時送受信の能力がない場合には、セカンダリーＰＵＣＣＨセルグループに含まれるサービングセルに対する上りリンクにおけるＨＡＲＱ−ＡＣＫ送信のタイミングは、プライマリーセルにおけるサブフレームが下りリンクサブフレームを避けるように特定（選択、決定）されることが好ましい。
【０１０２】
例えば、端末装置１が何れのサービングセルに対してもｅＩＭＴＡが設定されておらず、端末装置１が１つより多いサービングセルを設定され、且つ、全てのサービングセルのＵＬ／ＤＬ設定が同じ場合には、プレースホルダＵＬ／ＤＬ設定は、第Ｘの情報が示すＵＬ／ＤＬ設定を参照してもよい。
【０１０３】
すなわち、端末装置１が何れのサービングセルに対してもｅＩＭＴＡが設定されておらず、端末装置１が１つより多いサービングセルを設定され、且つ、全てのサービングセルのＵＬ／ＤＬ設定が同じ場合には、あるサービングセルに対するＰＤＳＣＨが配置されるサブフレームｎ−ｋと前記ＰＤＳＣＨの検出に対応するＨＡＲＱ−ＡＣＫが送信されるサブフレームｎとの対応を特定（選択、決定）するために、あるサービングセルに対するＵＬ／ＤＬ設定が用いられてもよい。
【０１０４】
例えば、端末装置１が１つより多いサービングセルを設定され、且つ、少なくとも２つのサービングセルのＵＬ／ＤＬ設定が異なる場合には、プレースホルダＵＬ／ＤＬ設定は、ＤＬ参照ＵＬ／ＤＬ設定を参照してもよい。
【０１０５】
すなわち、端末装置１が１つより多いサービングセルを設定され、且つ、少なくとも２つのサービングセルのＵＬ／ＤＬ設定が異なる場合には、あるサービングセルに対するＰＤＳＣＨが配置されるサブフレームｎ−ｋと前記ＰＤＳＣＨの検出に対応するＨＡＲＱ−ＡＣＫが送信されるサブフレームｎとの対応を特定（選択、決定）するために、あるサービングセルに対するＤＬ参照ＵＬ／ＤＬ設定が用いられてもよい。
【０１０６】
以下、ＤＬ参照ＵＬ／ＤＬ設定を特定（選択、決定）するために用いられる処理について説明する。
【０１０７】
ＤＬ参照ＵＬ／ＤＬ設定を特定（選択、決定）するために用いられる処理は、上記の条件（１）から条件（１２）の一部、または、全部を参照することによって、変更されてもよい。ＤＬ参照ＵＬ／ＤＬ設定は、全てのサービングセルに対するＵＬ／ＤＬ設定のうち１つ、または、複数のＵＬ／ＤＬ設定を参照することによって与えられる。ＤＬ参照ＵＬ／ＤＬ設定を特定（選択、決定）するために、全てのサービングセルに対するＵＬ／ＤＬ設定のうち何れのＵＬ／ＤＬ設定が参照されるかは、条件（１）から条件（１２）の一部、または、全部に基づいてもよい。すなわち、あるサービングセルに対するＰＤＳＣＨが配置されるサブフレームｎ−ｋと前記ＰＤＳＣＨの検出に対応するＨＡＲＱ−ＡＣＫが送信されるサブフレームｎとの対応を特定（選択、決定）するために、サービングセルに対するＵＬ／ＤＬ設定のうち何れが用いられるかは、条件（１）から条件（１２）の一部、または、全部に基づいてもよい。
【０１０８】
図９は、本実施形態におけるＤＬ参照ＵＬ／ＤＬ設定の決定方法の一例を示す図である。尚、具体的な処理は、図９の処理に限られるものではなく、この発明の要旨を逸脱しない範囲でステップの入れ替え／追加／除去等によって変更された処理も含まれる。また、図９の処理は、請求項に示した範囲で種々の変更が可能であり、開示された技術的手段を適宜組み合わせて得られる実施形態についても本発明の技術的範囲に含まれる。
【０１０９】
図９は、ステップ９００からステップ９４０を含む。ステップ９００において、端末装置１は条件９１０、条件９２０、条件９３０、条件９４０の何れを満たすかを判断する。条件９１０を満たす場合、端末装置１はステップ９１０に進み、処理９１０を実行する。条件９２０を満たす場合、端末装置１はステップ９２０に進み、処理９２０を実行する。条件９３０を満たす場合、端末装置１はステップ９３０に進み、処理９３０を実行する。条件９４０を満たす場合、端末装置１はステップ９４０に進み、処理９４０を実行する。端末装置１は、処理９１０から処理９４０の何れかを実行した後、ステップ９５０に進み、処理９５０を実行する。端末装置１は、処理９５０を実行した後、図９における処理を終了する。
【０１１０】
例えば、条件９１０、条件９２０、条件９３０、および／または、条件９４０は、端末装置１が、サービングセルのスケジューリングのために、他のサービングセルにおいてＰＤＣＣＨ／ＥＰＤＣＣＨをモニタするよう設定されていないという条件を少なくとも含んでもよい。
【０１１１】
例えば、条件９１０は、端末装置１が１つより多いサービングセルを設定され、少なくとも２つのサービングセルのＵＬ／ＤＬ設定が異なり、サービングセルがプライマリーセルであるという条件を含む。
【０１１２】
例えば、条件９１０は、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力があり、サービングセルがセカンダリーＰＵＣＣＨセルグループに含まれるＰＵＣＣＨサービングセルであるという条件を含む。
【０１１３】
例えば、処理９１０において、サービングセルに対するＵＬ／ＤＬ設定は該サービングセルに対するＤＬ参照ＵＬ／ＤＬ設定である。
【０１１４】
すなわち、端末装置１が１つより多いサービングセルを設定され、且つ、少なくとも２つのサービングセルのＵＬ／ＤＬ設定が異なり、サービングセルがプライマリーセルである場合には、サービングセル（プライマリーセル）に対するＵＬ／ＤＬ設定は該サービングセル（プライマリーセル）に対するＤＬ参照ＵＬ／ＤＬ設定であってもよい（条件９１０、処理９１０の組み合わせ）。
【０１１５】
すなわち、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力があり、サービングセルがセカンダリーＰＵＣＣＨセルグループに含まれるＰＵＣＣＨサービングセルである場合には、サービングセル（ＰＵＣＣＨサービングセル）に対するＵＬ／ＤＬ設定は該サービングセル（ＰＵＣＣＨサービングセル）に対するＤＬ参照ＵＬ／ＤＬ設定であってもよい（条件９１０、処理９１０の組み合わせ）。
【０１１６】
例えば、条件９２０は、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力がなく、サービングセルがセカンダリーＰＵＣＣＨセルグループに含まれるＰＵＣＣＨサービングセルであるという条件を含む。
【０１１７】
例えば、条件９２０は、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、サービングセルがプライマリーＰＵＣＣＨセルグループに含まれる非ＰＵＣＣＨセカンダリーセルであるという条件を含む。
【０１１８】
例えば、処理９２０において、サービングセルに対するＤＬ参照ＵＬ／ＤＬ設定は、プライマリーセルに対するＵＬ／ＤＬ設定、および、該サービングセルに対するＵＬ／ＤＬ設定の組み合わせを参照することによって与えられる。
【０１１９】
すなわち、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力がなく、サービングセルがセカンダリーＰＵＣＣＨセルグループに含まれるＰＵＣＣＨサービングセルである場合には、サービングセル（セカンダリーＰＵＣＣＨセルグループに含まれるＰＵＣＣＨサービングセル）に対するＤＬ参照ＵＬ／ＤＬ設定は、プライマリーセルに対するＵＬ／ＤＬ設定、および、該サービングセル（セカンダリーＰＵＣＣＨセルグループに含まれるＰＵＣＣＨサービングセル）に対するＵＬ／ＤＬ設定の組み合わせを参照することによって与えられる（条件９２０、処理９２０の組み合わせ）。
【０１２０】
すなわち、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、サービングセルがプライマリーＰＵＣＣＨセルグループに含まれる非ＰＵＣＣＨセカンダリーセルである場合には、サービングセル（プライマリーＰＵＣＣＨセルグループに含まれる非ＰＵＣＣＨセカンダリーセル）に対するＤＬ参照ＵＬ／ＤＬ設定は、プライマリーセルに対するＵＬ／ＤＬ設定、および、該サービングセル（プライマリーＰＵＣＣＨセルグループに含まれる非ＰＵＣＣＨセカンダリーセル）に対するＵＬ／ＤＬ設定の組み合わせを参照することによって与えられる（条件９２０、処理９２０の組み合わせ）。
【０１２１】
例えば、条件９３０は、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力があり、サービングセルがセカンダリーＰＵＣＣＨセルグループに含まれる非ＰＵＣＣＨサービングセルであるという条件を含む。
【０１２２】
例えば、処理９３０において、サービングセルに対するＤＬ参照ＵＬ／ＤＬ設定は、該サービングセルを含むセカンダリーＰＵＣＣＨセルグループに含まれるＰＵＣＣＨサービングセルに対するＵＬ／ＤＬ設定、および、該サービングセルに対するＵＬ／ＤＬ設定の組み合わせを参照することによって与えられる。
【０１２３】
すなわち、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力があり、サービングセルがセカンダリーＰＵＣＣＨセルグループに含まれる非ＰＵＣＣＨサービングセルである場合には、サービングセル（セカンダリーＰＵＣＣＨセルグループに含まれる非ＰＵＣＣＨサービングセル）に対するＤＬ参照ＵＬ／ＤＬ設定は、該サービングセル（セカンダリーＰＵＣＣＨセルグループに含まれる非ＰＵＣＣＨサービングセル）を含むセカンダリーＰＵＣＣＨセルグループに含まれるＰＵＣＣＨサービングセルに対するＵＬ／ＤＬ設定、および、該サービングセル（セカンダリーＰＵＣＣＨセルグループに含まれる非ＰＵＣＣＨサービングセル）に対するＵＬ／ＤＬ設定の組み合わせを参照することによって与えられる。
【０１２４】
例えば、条件９４０は、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力がなく、サービングセルがセカンダリーＰＵＣＣＨセルグループに含まれる非ＰＵＣＣＨサービングセルであるという条件を含む。
【０１２５】
例えば、処理９４０において、サービングセルに対するＤＬ参照ＵＬ／ＤＬ設定は、プライマリーセルに対するＵＬ／ＤＬ設定、該サービングセルを含むセカンダリーＰＵＣＣＨセルグループに含まれるＰＵＣＣＨサービングセルに対するＵＬ／ＤＬ設定、および、該サービングセルに対するＵＬ／ＤＬ設定の組み合わせを参照することによって与えられる。
【０１２６】
すなわち、端末装置１が複数のサービングセルを設定され、少なくとも２つのサービングセルのＵＬ／ＤＬ設定が異なり、端末装置１が１つのプライマリーＰＵＣＣＨセルグループ、および、１つのセカンダリーＰＵＣＣＨセルグループを設定され、端末装置１が集約された複数のサービングセルにおける同時送受信の能力がなく、サービングセルがセカンダリーＰＵＣＣＨセルグループに含まれる非ＰＵＣＣＨサービングセルである場合には、サービングセル（セカンダリーＰＵＣＣＨセルグループに含まれる非ＰＵＣＣＨサービングセル）に対するＤＬ参照ＵＬ／ＤＬ設定は、プライマリーセルに対するＵＬ／ＤＬ設定、該サービングセル（セカンダリーＰＵＣＣＨセルグループに含まれる非ＰＵＣＣＨサービングセル）を含むセカンダリーＰＵＣＣＨセルグループに含まれるＰＵＣＣＨサービングセルに対するＵＬ／ＤＬ設定、および、該サービングセル（セカンダリーＰＵＣＣＨセルグループに含まれる非ＰＵＣＣＨサービングセル）に対するＵＬ／ＤＬ設定の組み合わせを参照することによって与えられる。
【０１２７】
処理９５０は、ＤＬ参照ＵＬ／ＤＬ設定を参照することによって下りリンク連関セットＫを特定（選択、決定）する処理を含んでもよい。
【０１２８】
図９において、端末装置１に２つのＰＵＣＣＨセルグループが設定される場合の例を記載したが、本発明は、端末装置１に２つより多いＰＵＣＣＨセルグループが設定される場合に適用してもよい。
【０１２９】
図１０は、本実施形態におけるＵＬ／ＤＬ設定とＤＬ参照ＵＬ／ＤＬ設定の対応を示す第１の図である。処理９２０および処理９３０において、端末装置１は、図１０の表に基づいてサービングセルに対するＤＬ参照ＵＬ／ＤＬ設定を特定する。処理９２０において、図１０における第１のセルはプライマリーセルを参照する。処理９３０において、図１０における第１のセルはサービングセルを含むセカンダリーＰＵＣＣＨセルグループに含まれるＰＵＣＣＨサービングセルを参照する。例えば、図１０において、第１のセルに対するＵＬ／ＤＬ設定が１であり、サービングセルに対するＵＬ／ＤＬ設定が３である場合、該サービングセルに対するＤＬ参照ＵＬ／ＤＬ設定は４である。
【０１３０】
図１１は、本実施形態におけるＵＬ／ＤＬ設定とＤＬ参照ＵＬ／ＤＬ設定の対応を示す第２の図である。処理９４０において、端末装置１は、図１１の表に基づいてサービングセルに対するＤＬ参照ＵＬ／ＤＬ設定を特定する。処理９４０において、図１１における第１のセルはプライマリーセルを参照し、図１１における第２のセルはサービングセルを含むセカンダリーＰＵＣＣＨセルグループに含まれるＰＵＣＣＨサービングセルを参照する。例えば、図１１において、第１のセルに対するＵＬ／ＤＬ設定が３であり、第２のセルに対するＵＬ／ＤＬ設定が１であり、サービングセルに対するＵＬ／ＤＬ設定が２である場合、該サービングセルに対するＤＬ参照ＵＬ／ＤＬ設定は５である。
【０１３１】
基地局装置３は、図９の処理に基づいてＤＬ参照ＵＬ／ＤＬ設定を特定してもよい。基地局装置３は、特定したＤＬ参照ＵＬ／ＤＬ設定を参照することによって下りリンク連関セットＫを特定してもよい。すなわち、基地局装置３は、ＤＬ参照ＵＬ／ＤＬ設定を参照することによって、あるサービングセルに対するＰＤＳＣＨが配置されるサブフレームｎ−ｋと前記ＰＤＳＣＨの検出に対応するＨＡＲＱ−ＡＣＫが送信されるサブフレームｎとの対応を特定してもよい。
【０１３２】
以下、本実施形態における装置の構成について説明する。
【０１３３】
図１２は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、送信電力制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１３４】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３５】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０１３６】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１３７】
上位層処理部１０１が備える送信電力制御部１０１５は、無線リソース制御部１０１１によって管理されている各種設定情報／パラメータ、ＴＰＣコマンドなどに基づいて、ＰＵＳＣＨおよびＰＵＣＣＨでの送信に対する送信電力の制御を行う。
【０１３８】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１３９】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１４０】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１４１】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１４２】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１４３】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１４４】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０１４５】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０１４６】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１４７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１４８】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１４９】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１５０】
図１３は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信電力制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１５１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１５２】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０１５３】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１５４】
上位層処理部３０１が備える送信電力制御部３０１５は、無線リソース制御部３０１１によって管理されている各種設定情報／パラメータ、ＴＰＣコマンドなどを介して、端末装置１によるＰＵＳＣＨおよびＰＵＣＣＨでの送信に対する送信電力の制御を行う。
【０１５５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１５６】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１５７】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０１５８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１５９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１６０】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１６１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０１６２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１６３】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１６４】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０１６５】
（１）本実施形態の態様（Ａ）において、端末装置１は、第１のグループ（プライマリーＰＵＣＣＨセルグループ）に含まれる１つのプライマリーセル、および、上りリンクコンポーネントキャリアを持ち、物理上りリンク制御チャネルのリソースが設定され、且つ、第２のグループ（セカンダリーＰＵＣＣＨセルグループ）に含まれるセカンダリーセルである１つのスペシャルセカンダリーセルを用いて基地局装置と通信する端末装置であって、前記プライマリーセルに対する第１の上りリンク／下りリンク設定を示す第１の情報と、前記スペシャルセカンダリーセルに対する第２の上りリンク−下りリンク設定を示す上りリンク／下りリンクを受信する受信部と、前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、前記スペシャルセカンダリーセルに対するサブフレームｎ−ｋにおける物理下りリンク共用チャネルの送信の検出に基づいて、前記スペシャルセカンダリーセルの物理上りリンク制御チャネルを用いて、サブフレームｎにおいてＨＡＲＱ−ＡＣＫを送信する送信部と、を備えてもよい。
【０１６６】
（２）本実施形態の態様（Ａ）において、基地局装置３は、第１のグループ（プライマリーＰＵＣＣＨセルグループ）に含まれる１つのプライマリーセル、および、上りリンクコンポーネントキャリアを持ち、物理上りリンク制御チャネルのリソースが設定され、且つ、第２のグループ（セカンダリーＰＵＣＣＨセルグループ）に含まれるセカンダリーセルである１つのスペシャルセカンダリーセルを用いて端末装置と通信する基地局装置であって、前記プライマリーセルに対する第１の上りリンク／下りリンク設定を示す第１の情報と、前記スペシャルセカンダリーセルに対する第２の上りリンク／下りリンク設定を示す第２の情報を送信する送信部と、前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、前記スペシャルセカンダリーセルに対するサブフレームｎ−ｋにおける物理下りリンク共用チャネルの送信の検出に基づくＨＡＲＱ−ＡＣＫの送信を、前記スペシャルセカンダリーセルの物理上りリンク制御チャネルを用いて、サブフレームｎにおいて受信する受信部と、を備えてもよい。
【０１６７】
（３）本実施形態の態様（Ａ）において、基地局装置が備える受信部は、前記端末装置が前記プライマリーセルおよび前記スペシャルセカンダリーセルにおいて同時に送信および受信を行う能力を持つか否かを示す情報を、前記端末装置から受信してもよい。
【０１６８】
（４）本実施形態の態様（Ａ）において、前記ｊは前記第１の情報によって示される第１の上りリンク／下りリンク設定を参照することによって与えられ、前記端末装置が前記プライマリーセルおよび前記スペシャルセカンダリーセルにおいて同時に送信および受信を行う能力を持つ場合、前記ｋは前記第２の情報によって示される第２の上りリンク／下りリンク設定を参照することによって与えられ、前記端末装置が前記プライマリーセルおよび前記スペシャルセカンダリーセルにおいて同時に送信および受信を行う能力を持たず、前記第１の情報によって示される第１の上りリンク／下りリンク設定、および、前記第２の情報によって示される第２の上りリンク／下りリンク設定が異なる場合、前記ｋは前記第１の情報によって示される第１の上りリンク−下りリンク設定および前記第２の情報によって示される第２の上りリンク／下りリンク設定を参照することによって与えられてもよい。
【０１６９】
（５）本実施形態の態様（Ａ）において、前記第１の情報によって示される第１の上りリンク／下りリンク設定、および、前記第２の情報によって示される第２の上りリンク／下りリンク設定が異なる場合、前記ｊは前記プライマリーセルに対する下りリンク参照上りリンク／下りリンク設定を参照することによって与えられ、前記ｋは前記スペシャルセカンダリーセルに対する下りリンク参照上りリンク／下りリンク設定を参照することによって与えられ、前記プライマリーセルに対する下りリンク参照上りリンク／下りリンク設定は、前記第１の情報によって示される第１の上りリンク／下りリンク設定であり、前記端末装置が前記プライマリーセルおよび前記スペシャルセカンダリーセルにおいて同時に送信および受信を行う能力を持つ場合、前記下りリンク参照上りリンク／下りリンク設定は前記第２の情報によって示される第２の上りリンク／下りリンク設定であり、前記端末装置が前記プライマリーセルおよび前記スペシャルセカンダリーセルにおいて同時に送信および受信を行う能力を持たない場合、前記下りリンク参照上りリンク／下りリンク設定は前記第１の情報によって示される第１の上りリンク／下りリンク設定および前記第２の情報によって示される第２の上りリンク／下りリンク設定を参照することによって与えられてもよい。
【０１７０】
（６）本実施形態の態様（Ａ）において、前記端末装置が前記プライマリーセルおよび前記スペシャルセカンダリーセルにおいて同時に送信および受信を行う能力を持たず、前記第１の情報によって示される上りリンク／下りリンク設定、および、前記第２の情報によって示される上りリンク／下りリンク設定が同じ場合、前記ｋは前記第２の情報によって示される上りリンク／下りリンク設定を参照することによって与えられてもよい。
【０１７１】
（７）本実施形態の態様（Ａ）において、前記端末装置が前記プライマリーセルおよび前記スペシャルセカンダリーセルにおいて同時に送信および受信を行う能力を持つかどうかは、前記プライマリーセルが属するバンドおよび前記スペシャルセカンダリーセルが属するバンドの組み合わせに基づいてもよい。
【０１７２】
（８）本実施形態の態様（Ａ）において、前記第１のグループは、前記１つのプライマリーセルのみを含んでもよく、前記第２のグループは、前記１つのスペシャルセカンダリーセル、および、前記１つの非スペシャルセカンダリーセルのみを含んでもよい。
【０１７３】
（９）本実施形態の態様（Ａ）において、端末装置１は、第１のグループ（プライマリーＰＵＣＣＨセルグループ）に含まれる１つのプライマリーセル、上りリンクコンポーネントキャリアを持ち、物理上りリンク制御チャネルのリソースが設定され、且つ、第２のグループ（セカンダリーＰＵＣＣＨセルグループ）に含まれるセカンダリーセルである１つのスペシャルセカンダリーセル、および、前記第２のグループ（セカンダリーＰＵＣＣＨセルグループ）に含まれるセカンダリーセルである１つの非スペシャルセカンダリーセルを含む３つのサービングセルを用いて、基地局装置と通信する端末装置であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を受信する受信部と、前記プライマリーセルに対するサブフレームｍ−ｊにおける物理下りリンク共用チャネルの送信の検出に基づいて、前記プライマリーセルの物理上りリンク制御チャネルを用いて、サブフレームｍにおいてＨＡＲＱ−ＡＣＫを送信し、前記非スペシャルセカンダリーセルに対するサブフレームｉ−ｐにおける物理下りリンク共用チャネルの送信の検出に基づいて、前記スペシャルセカンダリーセルの物理上りリンク制御チャネルを用いて、サブフレームｉにおいてＨＡＲＱ−ＡＣＫを送信する送信部と、を備えてもよい。
【０１７４】
（１０）本実施形態の態様（Ｂ）において、基地局装置３は、第１のグループ（プライマリーＰＵＣＣＨセルグループ）に含まれる１つのプライマリーセル、上りリンクコンポーネントキャリアを持ち、物理上りリンク制御チャネルのリソースが設定され、且つ、第２のグループ（セカンダリーＰＵＣＣＨセルグループ）に含まれるセカンダリーセルである１つのスペシャルセカンダリーセル、および、前記第２のグループ（セカンダリーＰＵＣＣＨセルグループ）に含まれるセカンダリーセルである１つの非スペシャルセカンダリーセルを含む３つのサービングセルを用いて、端末装置と通信する基地局装置であって、前記プライマリーセルに対する第１の上りリンク／下りリンク設定を示す第１の情報、前記スペシャルセカンダリーセルに対する第２の上りリンク／下りリンク設定を示す第２の情報、および、前記非スペシャルセカンダリーセルに対する第３の上りリンク／下りリンク設定を示す第３の情報を送信する送信部と、前記プライマリーセルに対するサブフレームｍ−ｊにおける物理下りリンク共用チャネルの送信の検出に基づくＨＡＲＱ−ＡＣＫの送信を、前記プライマリーセルの物理上りリンク制御チャネルを用いて、サブフレームｍにおいて受信し、前記非スペシャルセカンダリーセルに対するサブフレームｉ−ｐにおける物理下りリンク共用チャネルの送信の検出に基づくＨＡＲＱ−ＡＣＫの送信を、前記スペシャルセカンダリーセルの物理上りリンク制御チャネルを用いて、サブフレームｉにおいて受信する受信部と、を備えてもよい。
【０１７５】
（１１）本実施形態の態様（Ｂ）において、基地局装置が備える受信部は、前記端末装置が前記３つのサービングセルにおいて同時に送信および受信を行う能力を持つか否かを示す情報を、前記端末装置から受信してもよい。
【０１７６】
（１２）本実施形態の態様（Ｂ）において、前記ｊは前記第１の情報によって示される第１の上りリンク／下りリンク設定を参照することによって与えられ、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が異なる場合、前記ｐは前記第１の情報によって示される第１の上りリンク／下りリンク設定、前記第２の情報によって示される第２の上りリンク／下りリンク設定、および、前記第３の情報によって示される第３の上りリンク／下りリンク設定を参照することによって与えられてもよい。
【０１７７】
（１３）本実施形態の態様（Ｂ）において、前記端末装置が前記３つのサービングセルにおいて同時に送信および受信を行う能力を持たず、前記第１の情報によって示される第１の上りリンク／下りリンク設定、前記第２の情報によって示される第２の上りリンク／下りリンク設定、および、前記第３の情報によって示される第３の上りリンク／下りリンク設定の全てが同じ場合、前記ｐは前記第３の情報によって示される第３の上りリンク／下りリンク設定を参照することによって与えられてもよい。
【０１７８】
（１４）本実施形態の態様（Ｂ）において、前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が異なる場合、前記ｐは前記第２の情報によって示される第２の上りリンク／下りリンク設定、および、前記第３の情報によって示される第３の上りリンク／下りリンク設定を参照することによって与えられてもよい。
【０１７９】
（１５）本実施形態の態様（Ｂ）において、前記端末装置が前記３つのサービングセルにおいて同時に送信および受信を行う能力を持ち、前記第２の情報によって示される第２の上りリンク／下りリンク設定、および、前記第３の情報によって示される第３の上りリンク／下りリンク設定が同じ場合、前記ｐは前記第３の情報によって示される第３の上りリンク／下りリンク設定を参照することによって与えられてもよい。
【０１８０】
（１６）本実施形態の態様（Ｂ）において、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じ場合、前記ｐは前記第１の情報によって示される第１の上りリンク／下りリンク設定、および、前記第３の情報によって示される第３の上りリンク／下りリンク設定を参照することによって与えられてもよい。
【０１８１】
（１７）本実施形態の態様（Ｂ）において、前記端末装置が前記３つのサービングセルにおいて同時に送信および受信を行う能力を持たず、前記第２の情報によって示される第２の上りリンク／下りリンク設定、および、前記第３の情報によって示される第３の上りリンク／下りリンク設定が同じであり、且つ、前記第１の情報によって示される第１の上りリンク／下りリンク設定、および、前記第３の情報によって示される第３の上りリンク／下りリンク設定が異なる場合、前記ｐは前記第１の情報によって示される第１の上りリンク／下りリンク設定、および、前記第３の情報によって示される第３の上りリンク／下りリンク設定を参照することによって与えられてもよい。
【０１８２】
（１８）本実施形態の態様（Ｂ）において、前記端末装置が前記３つのサービングセルにおいて同時に送信および受信を行う能力を持つかどうかは、前記プライマリーセルが属する第１のバンド、前記スペシャルセカンダリーセルが属する第２のバンド、および、前記非スペシャルセカンダリーセルが属する第３のバンドの組み合わせに基づいてもよい。
【０１８３】
（１９）本実施形態の態様（Ｂ）において、前記端末装置が前記３つのサービングセルにおいて同時に送信および受信を行う能力を持つかどうかは、前記３つのサービングセルのうちの２つのサービングセルが属する第４のバンド、および、前記３つのサービングセルのうちの残りの１つのサービングセルが属する第５のバンドの組み合わせに基づいてもよい。
【０１８４】
（２０）本実施形態の態様（Ｂ）において、前記第１のグループは、前記１つのプライマリーセルのみを含んでもよく、前記第２のグループは、前記１つのスペシャルセカンダリーセル、および、前記１つの非スペシャルセカンダリーセルのみを含んでもよい。
【０１８５】
これにより、端末装置が、プライマリーセル以外のサービングセルにおける物理上りリンク制御チャネルの送信処理を効率的に実行することができる。また、基地局装置が、プライマリーセル以外のサービングセルにおける物理上りリンク制御チャネルの受信処理を効率的に実行することができる。
【０１８６】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１８７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１９２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１９３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１９４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１９５】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  送信電力制御部
３０１１  無線リソース制御部
３０１３  スケジューリング部
３０１５  送信電力制御部
【図１】
2018050092.tif 000003
【図２】
2018050092.tif 000004
【図３】
2018050092.tif 000005
【図４】
2018050092.tif 000006
【図５】
2018050092.tif 000007
【図６】
2018050092.tif 000008
【図７】
2018050092.tif 000009
【図８】
2018050092.tif 000010
【図９】
2018050092.tif 000011
【図１０】
2018050092.tif 000012
【図１１】
2018050092.tif 000013
【図１２】
2018050092.tif 000014
【図１３】
2018050092.tif 000015